(57)【要約】【課題】初期充放電時のセル抵抗を低下させ、電池エネルギー効率を向上させることが可能なレドックス電池用炭素電極材を提供する。【解決手段】結晶構造がＸ線広角解析より求めた＜００２＞面間隔が３．４３〜３．６０Åで、ｃ軸方向の結晶子の大きさが１５〜３５Åで、ａ軸方向の結晶子の大きさが３０〜７５Åである擬黒鉛結晶構造であり、ＸＰＳ表面分析より求めた表面の結合酸素原子数が全表面炭素原子数の２．５％以上であり、水銀圧入法によって得られる細孔分布測定結果において細孔径が０．２〜２μｍの範囲の細孔をその表面に有する炭素質材料からなるレドックス電池用炭素電極材。【選択図】なし
2017022564.tif 000002
【特許請求の範囲】
【請求項１】
結晶構造がＸ線広角解析より求めた＜００２＞面間隔が３．４３〜３．６０Åで、ｃ軸方向の結晶子の大きさが１５〜３５Åで、ａ軸方向の結晶子の大きさが３０〜７５Åである擬黒鉛結晶構造であり、ＸＰＳ表面分析より求めた表面の結合酸素原子数が全表面炭素原子数の２．５％以上であり、水銀圧入法によって得られる細孔分布測定結果において細孔径が０．２〜２μｍの範囲の細孔をその表面に有する炭素質材料からなるレドックス電池用炭素電極材。
【請求項２】
前記炭素質材料は、励起波長５３２ｎｍのレーザーラマン分光測定により求めたスペクトルにおいて、１３６０ｃｍ-1付近のピーク強度（ＩＤ）と１５８０ｃｍ-1付近のピーク強度（ＩＧ）との強度比Ｒ（ＩＤ／ＩＧ）が１．０以上２．５以下であり、１５８０ｃｍ-1付近のピーク半値幅（ΔＧ）が７０ｃｍ-1以下である請求項１に記載のレドックス電池用炭素電極材。
【請求項３】
前記炭素質材料がその表面に有する細孔径０．２〜２μｍの範囲の細孔の合計の容積は、０．００３ｃｃ／ｇ以上である請求項１または２に記載のレドックス電池用炭素電極材。
【請求項４】
前記炭素質材料が繊維構造体からなる請求項１から３のいずれか１項に記載のレドックス電池用炭素電極材。
【請求項５】
レドックス電池用炭素電極材の製造方法において、  原料に対して、不活性ガスまたは窒素ガス雰囲気下６００〜１２５０℃で1回目の焼成をしてから、1回目の乾式酸化処理を実施する工程と、さらに、その後、不活性ガスまたは窒素ガス雰囲気下１３００〜２３００℃で２回目の焼成をしてから、２回目の乾式酸化処理を実施する工程と、を含む製造方法。 
【発明の詳細な説明】
【技術分野】
【０００１】
本発明は、レドックス電池に使用される炭素電極材に関するものであり、さらに詳しくは電池系全体でのエネルギー効率に優れた炭素電極材に関するものである。
【背景技術】
【０００２】
従来、電極は電池の性能を左右するものとして重点的に開発されている。電極には、それ自体が活物質とならず、活物質の電気化学的反応を促進させる反応場として働くタイプのものがあり、このタイプには導電性や耐薬品性などから炭素材料がよく用いられる。特に電力貯蔵用に開発が盛んなレドックスフロー電池の電極には、耐薬品性があり、導電性を有し、かつ通液性のある炭素繊維集合体が用いられている。  【０００３】
レドックスフロー電池は、正極に鉄の塩酸水溶液、負極にクロムの塩酸水溶液を用いたタイプから、起電力の高いバナジウムの硫酸水溶液を両極に用いるタイプに替わり、高エネルギー密度化されている。そして、さらに高い起電力を有し、安定して安価に供給可能なものとして、たとえば特許文献１のような正極にマンガン、負極にクロム、バナジウム、チタンを用いるタイプの開発もなされており、一段と高エネルギー密度化が進んでいる。  【０００４】
レドックスフロー電池の主な構成は、図１に示すように電解液を貯える外部タンク６、７と電解槽とから構成される。レドックスフロー電池では、ポンプ８、９にて活物質を含む電解液を外部タンク６、７から電解槽に送りながら、電解槽に組み込まれた電極上で電気化学的なエネルギー変換、すなわち充放電が行われる。  【０００５】
一般に、充放電の際には、電解液を外部タンクと電解槽との間で循環させるため、電解槽は図１に示すような液流通型構造をとる。該液流通型電解槽を単セルと称し、これを最小単位として単独または多段積層して用いられる。液流通型電解槽における電気化学反応は、電極表面で起こる不均一相反応であるため、一般的には二次元的な電解反応場を伴うことになる。電解反応場が二次元的であると、電解セルの単位体積当たりの反応量が小さいという難点がある。  【０００６】
そこで、単位面積当りの反応量、すなわち電流密度を増すために電気化学反応場の三次元化が行われるようになった。図２は、三次元電極を有する液流通型電解槽の分解斜視図である。該電解槽では、相対する二枚の集電板１、１間にイオン交換膜３が配設され、イオン交換膜３の両側にスペーサー２によって集電板１、１の内面に沿った電解液の通液路４ａ、４ｂが形成されている。該通液路４ａ、４ｂの少なくとも一方には炭素繊維集合体等の電極材５が配設されており、このようにして三次元電極が構成されている。  なお、集電板１には、電解液の液流入口１０と液流出口１１とが設けられている。  【０００７】
正極電解液にオキシ硫酸バナジウム、負極電解液に硫酸バナジウムの各々硫酸酸性水溶液を用いたレドックスフロー電池の場合、放電時には、Ｖ2+を含む電解液が負極側の通液路４ａに供給され、正極側の通液路４ｂにはＶ5+（実際には酸素を含むイオン）を含む電解液が供給される。負極側の通液路４ａでは、三次元電極５内でＶ2+が電子を放出しＶ3+に酸化される。放出された電子は外部回路を通って正極側の三次元電極内でＶ5+をＶ4+（実際には酸素を含むイオン）に還元する。この酸化還元反応に伴って負極電解液中のＳＯ42-が不足し、正極電解液ではＳＯ42-が過剰になるため、イオン交換膜３を通ってＳＯ42-が正極側から負極側に移動し電荷バランスが保たれる。あるいは、Ｈ+がイオン交換膜を通って負極側から正極側へ移動することによっても電荷バランスを保つことができる。充電時には放電と逆の反応が進行する。  【０００８】
レドックスフロー電池用電極材の特性としては、特に以下に示す性能が要求される。  【０００９】
（１）目的とする反応以外の副反応を起こさないこと（反応選択性が高いこと）、具体的には電流効率（ηＩ）が高いこと。（２）電極反応活性が高いこと、具体的にはセル抵抗（Ｒ）が小さいこと。すなわち電圧効率（ηＶ）が高いこと。（３）上記（１）、（２）に関連する電池エネルギー効率（ηＥ）が高いこと。  ηＥ＝ηＩ×ηＶ（４）くりかえし使用に対する劣化が小さいこと（高寿命）、具体的には電池エネルギー効率（ηＥ）の低下量が小さいこと。  これらが求められる。  【００１０】
ここで、特許文献２には、Ｘ線広角解析より求めた＜００２＞面間隔が、平均３．７０Å以下であり、またｃ軸方向の結晶子の大きさが平均９．０Å以上の擬黒鉛微結晶を有し、かつ全酸性官能基量が少なくとも０．０１ｍｅｑ／ｇである炭素質材料を、鉄−クロム系レドックスフロー電池の電解槽用電極材として用いることが提案されている。  【００１１】
また特許文献３には、ポリアクリロニトリル系繊維を原料とする炭素質繊維で、Ｘ線広角解析より求めた＜００２＞面間隔が３．５０〜３．６０Åの擬黒鉛結晶構造を有し、炭素質材料表面の結合酸素原子数が炭素原子数の１０〜２５％となるような炭素質材を、鉄−クロム系レドックスフロー電池の電解槽用電極材として用いることが提案されている。  【００１２】
さらに特許文献４には、Ｘ線広角解析より求めた＜００２＞面間隔が３．４３〜３．６０Åで、ｃ軸方向の結晶子の大きさが１５〜３３Åで、ａ軸方向の結晶子の大きさが３０〜７５Åである擬黒鉛結晶構造を有し、ＸＰＳ表面分析より求めた表面酸性官能基量が全表面炭素原子数の０．２〜１．０％であり、表面結合窒素原子数が全表面炭素原子数の３％以下である炭素質材料をバナジウム系レドックスフロー電池の電解槽用電極材として用いることが提案されている。  【００１３】
しかしながら、特許文献４にて提案されている炭素質材料では、反応活性点が少なく電池の反応抵抗が増加し、電池エネルギー効率が低下することが確認された。
【先行技術文献】
【特許文献】
【００１４】
【特許文献１】日本国特許公開公報「特開２０１２−２０４１３５号」
【特許文献２】日本国特許公開公報「特開昭６０−２３２６６９号」
【特許文献３】日本国特許公開公報「特開平５−２３４６１２号」
【特許文献４】日本国特許公開公報「特開２０００−３５７５２０号」
【発明の概要】
【発明が解決しようとする課題】
【００１５】
レドックス電池の電解槽用電極材として炭素質材料を用いた場合に、反応活性点が少なく反応による抵抗は未だに大きい。そこで、本発明は、初期充放電時のセル抵抗を低下させ、電池エネルギー効率を向上させることが可能なレドックス電池用炭素電極材を提供することを課題とするものである。
【課題を解決するための手段】
【００１６】
本発明は上記課題を解決するために、本発明者等が鋭意検討した結果、遂に本発明を完成するに到った。すなわち、本発明は下記とおりである。  【００１７】
１．結晶構造がＸ線広角解析より求めた＜００２＞面間隔が３．４３〜３．６０Åで、ｃ軸方向の結晶子の大きさが１５〜３５Åで、ａ軸方向の結晶子の大きさが３０〜７５Åである擬黒鉛結晶構造であり、ＸＰＳ表面分析より求めた表面の結合酸素原子数が全表面炭素原子数の２．５％以上であり、水銀圧入法によって得られる細孔分布測定結果において細孔径が０．２〜２μｍの範囲の細孔をその表面に有する炭素質材料からなるレドックス電池用炭素電極材。２．前記炭素質材料は、励起波長５３２ｎｍのレーザーラマン分光測定により求めたスペクトルにおいて、１３６０ｃｍ-1付近のピーク強度（ＩＤ）と１５８０ｃｍ-1付近のピーク強度（ＩＧ）との強度比Ｒ（ＩＤ／ＩＧ）が１．０以上２．５以下であり、１５８０ｃｍ-1付近のピーク半値幅（ΔＧ）が７０ｃｍ-1以下である上記１に記載のレドックス電池用炭素電極材。３．前記炭素質材料がその表面に有する細孔径０．２〜２μｍの範囲の細孔の合計の容積は、０．００３ｃｃ／ｇ以上である上記１または２に記載のレドックス電池用炭素電極材。４．前記炭素質材料が繊維構造体からなる上記１から３のいずれか１つに記載のレドックス電池用炭素電極材。５．レドックス電池用炭素電極材の製造方法において、原料に対して、不活性ガスまたは窒素ガス雰囲気下６００〜１２５０℃で1回目の焼成をしてから、1回目の乾式酸化処理を実施する工程と、さらに、その後、不活性ガスまたは窒素ガス雰囲気下１３００〜２３００℃で２回目の焼成をしてから、２回目の乾式酸化処理を実施する工程と、を含む製造方法。
【発明の効果】
【００１８】
本発明のレドックス電池用炭素電極材は、導電性を高める黒鉛粉末や導電助剤といわれるアセチレンブラック、ケッチェンブラック等を未含有でありながら、電極反応活性を高めることにより初期充放電時のセル抵抗を低下させ、電池エネルギー効率を向上させることを可能とするものである。そして、本発明の炭素電極材はフロータイプおよびノンフロータイプのレッドクス電池、またはリチウム、キャパシタ、燃料電池のシステムと複合化されたようなレドックス電池に好適に用いられるものである。
【図面の簡単な説明】
【００１９】
【図１】レドックスフロー電池の主な構成図である。
【図２】三次元電極を有する液流通型電解槽の分解斜視図である。
【図３】実施例１および比較例１で得られた炭素電極材の水銀圧入法より得られた細孔径の分布を示す細孔径分布曲線である。
【図４】実施例２および比較例２で得られた炭素電極材の水銀圧入法より得られた細孔径の分布を示す細孔径分布曲線である。
【図５】実施例３および比較例３で得られた炭素電極材の水銀圧入法より得られた細孔径の分布を示す細孔径分布曲線である。
【発明を実施するための形態】
【００２０】
本発明のレドックス電池用炭素電極材を使用した電解槽は、その一例として図２に示す構造を有する。前記電解槽は、相対する二枚の集電板１、１間にイオン交換膜３が配設され、イオン交換膜３の両側にスペーサー２によって集電板１、１の内面に沿った電解液の通液路４ａ、４ｂが形成されている。該通液路４ａ、４ｂの少なくとも一方には本発明のレドックス電池用炭素電極材５が配設されている。このようにして電解槽が構成されている。なお、集電板１には、電解液の液流入口１０と液流出口１１とが設けられている。  
【００２１】
本発明のレドックス電池用炭素電極材５は、炭素質材料からなり、その構成組織は特に限定されないが、電極表面積を大きくできるものが好ましい。具体的には、炭素質繊維よりなる紡績糸、フィラメント集束糸、不織布、編物、織物、特殊編織物（例えば、日本国特許公開公報「特開昭６３−２００４６７号」参照）、またはこれらの混成組織からなる炭素質繊維集合体、多孔質炭素体、炭素−炭素複合体、粒子状炭素材料等を挙げることができる。これらのうち、炭素質繊維集合体が好ましく、なかでも炭素質繊維よりなるシート状物である炭素質繊維よりなる不織布、編物、織物、特殊織編物、またはこれらの混成組織からなる炭素質繊維集合体が、取り扱いや加工性、製造性等の点からより好ましい。  
【００２２】
前記炭素質材料の目付量は構成組織にもよるが、図２の集電板１とイオン交換膜３に挟まれたスペーサー２の厚み（以下、「スペーサー２の厚み」と称する）を０．３〜３ｍｍで使用する場合、５０〜１０００ｇ／ｍ2が好ましく、構成組織が編物の場合は５０〜１０００ｇ／ｍ2、織物の場合は５０〜８００ｇ／ｍ2、不織布の場合は５０〜６００ｇ／ｍ2が好ましい。また、炭素質材料として、片面に凹溝加工が施された不織布を使用することも通液性からより好ましい。その場合の溝幅、溝深さは少なくとも０．１ｍｍ以上が好ましい。  
【００２３】
前記炭素質材料の厚みは、スペーサー２の厚みより少なくとも大きいこと、不織布等の密度の低いものの場合はスペーサー２の厚みの１．５〜６．０倍が好ましい。しかしながら、厚みが厚すぎる
とシート状物の圧縮応力によりイオン交換膜３を突き破ってしまうことがあるので、シート状物の圧縮応力を９．８Ｎ／ｃｍ2以下のものを使用するのが好ましい。炭素質材料によっては、目付量・厚み・圧縮応力を調整するために、炭素質材料を２層や３層など積層して用いることも可能であり、また別の形態の炭素質材料との組み合わせも可能である。  
【００２４】
炭素質材料として炭素質繊維を使用する場合、その平均繊維径は０．５〜２０μｍが好ましく、平均繊維長は３０〜１００ｍｍが好ましい。  
【００２５】
前記炭素質材料は、電池の中に圧接されて組み込まれ、その薄い隙間を粘度の高い電解液が流れるため、炭素質材料が脱落しないためには炭素質材料の引張強度を０．４９Ｎ／ｃｍ2以上にすることが好ましい。また集電板との接触抵抗を良くするために、炭素質材料が不織布組織の場合、密度を０．０１ｇ／ｃｍ3以上に、電極面に対する反発力を０．９８Ｎ／ｃｍ2以上にすることが好ましい。  
【００２６】
本発明の炭素質材料は、結晶構造がＸ線広角解析より求めた＜００２＞面間隔が３．４３〜３．６０Åで、ｃ軸方向の結晶子の大きさが１５〜３５Åで、ａ軸方向の結晶子の大きさが３０〜７５Åである擬黒鉛結晶構造を有する炭素電極材であり、好ましくは、前記＜００２＞面間隔が３．４５〜３．５３Åで、前記ｃ軸方向の結晶子の大きさが２０〜３５Åで、前記ａ軸方向の結晶子の大きさが４５〜７５Åである擬黒鉛結晶構造を有する炭素質材料である。  
【００２７】
炭素質材料のＸ線広角解析より求めた＜００２＞面間隔は、黒鉛の３．３５Åから３．７０Åを越える不定型炭素までの様々な値をとり、その特性も大きく異なることが広く知られている。  
【００２８】
本発明の炭素質材料の結晶構造が、Ｘ線広角解析より求めた＜００２＞面間隔が３．６０Åより大きい、ｃ軸方向の結晶子の大きさが１５Åより小さいか、またはａ軸方向の結晶子の大きさが３０Åより小さい場合、電池内部抵抗（セル抵抗）の内の電極材導電抵抗成分が無視できないようになり、その結果セル抵抗が増加し（電圧効率が低下し）、エネルギー効率が低下する。  
【００２９】
また、本発明の炭素質材料の結晶構造が、Ｘ線広角解析より求めた＜００２＞面間隔が３．４３Åよりも小さいか、ｃ軸方向の結晶子の大きさが３５Åよりも大きいか、またはａ軸方向の結晶子の大きさが７５Åよりも大きい場合、a軸方向のベーサル面の成長が大きいため、酸素官能基を導入される反応点が少なく、反応活性が低くなってしまう。  
【００３０】
本発明の炭素質材料は、ＸＰＳ（Ｘ線光電子分光法）表面分析より求めた炭素質材料表面の結合酸素原子数が全表面炭素原子数の２．５％以上であることが必要である。結合酸素原子数が全表面炭素原子数の２．５％以上の炭素系材料を電極材に用いることにより、電極反応速度、つまり電導度を著しく高め得ることができる。ＸＰＳ表面分析より求めた炭素質材料表面の結合酸素原子数が全表面炭素原子数の２．５％未満の酸素濃度の低い炭素質材料を用いる場合は放電時の電極反応速度が小さく、電極反応活性を高めることはできない。このように材料表面に酸素原子を多く結合させた炭素質材料を電極材として用いることにより電極反応活性、いいかえれば電圧効率が高められる理由については明らかでないが、炭素質材料と電解液との親和性、電子の授受、錯イオンの炭素材料からの脱離、錯交換反応等に表面の酸素原子が有効に働いているものと考えられる。  
【００３１】
本発明の炭素質材料は、ラマン分光法より求めた１３６０ｃｍ-1付近のピーク強度（ＩＤ）と１５８０ｃｍ-1付近のピーク強度（ＩＧ）との強度比Ｒ（ＩＤ／ＩＧ）が１．０以上２．５以下であり、１５８０ｃｍ-1付近のピーク半値幅（ΔνＧ）が７０ｃｍ-1以下であることが好ましい。本発明の炭素質材料は、特許文献４と同じ炭化温度で処理した炭素質材料と比較した場合に、ピーク半値幅ΔνＧは小さく、強度比Ｒが大きくなっている。すなわち、特許文献４に記載の処方に比べ、本発明の炭素材料は酸素官能基導入により炭素結晶の欠陥構造が増加し、反応活性点が増加していると考えている。  
【００３２】
本発明の炭素質材料は、水銀圧入法によって得られる細孔分布測定結果において細孔径が０．２〜２μｍの範囲の細孔をその表面に有する炭素質材料を用いることが必要である。炭素質材料に前記細孔を有することにより、特許文献４に記載の表面が無細孔の炭素質材料よりも外表面積が大きくなるため、電解液中の活物質であるイオンとの反応表面積が増加し反応活性が高まる。  
【００３３】
このような炭素質材料は、以下の製法により得ることができる。  緊張下２００〜３００℃の初期空気酸化を経たポリアクリロニトリル、等方性ピッチ、メソフェーズピッチ、セルロース、フェノール、ポリパラフェニレンベンゾビスオキサゾール（ＰＢＯ）などを原料にして、不活性ガス（または窒素ガス）雰囲気下６００〜１２５０℃で１回目の焼成（炭化）をして擬黒鉛結晶構造を有する炭素材料を得た後、酸素濃度１〜１０％のガス雰囲気下で重量収率にして４５〜９５％、好ましくは５０〜９０％の範囲になるように１回目の乾式酸化処理を実施する。１回目の乾式酸化処理温度は３５０〜９００℃が好ましく、４５０〜７５０℃がより好ましい。さらに不活性ガス（または窒素ガス）雰囲気下１３００〜２３００℃で２回目の焼成（炭化）をした後、酸素濃度１〜１０％のガス雰囲気下で重量収率にして８０〜９９％、好ましくは９３〜９９％の範囲になるように２回目の乾式酸化処理を実施する。２回目の乾式酸化処理温度は５００〜９００℃が好ましく、６５０〜７５０℃がさらに好ましい。しかし酸化処理の方法は乾式酸化に限定されるものではなく、例えば電解酸化をおこなっても同様な効果が得られる。２回目の焼成をする際、特にアルゴン等の不活性ガス濃度が、処理物近傍においても９０％以上となる雰囲気下で焼成することで、炭素の結晶構造の成長が促進されることを見出した。この反応機構については現在解明中であるが、昇温時にＨＣＮ、ＮＨ3、ＣＯなどの反応性の高い分解ガスが発生することから、その分解ガスによる表面改質が抑制されるためではないかと推測している。不活性ガス濃度が処理物近傍においても９０％以上となる雰囲気は、例えば不活性ガスを絶えず１ｇ当たり１ｃｃ／ｍｉｎ以上吹き付けることで得られる。  
【００３４】
特許文献４では、不活性ガス（または窒素ガス）雰囲気下１０００〜１８００℃で焼成（炭化）して擬黒鉛結晶構造を有する炭素材料を得た後、これを乾式酸化処理することにより炭素質材料を得ているが、この処理方法では炭素質材料表面は無細孔になる。本発明の炭素質材料においては１３００℃を超える温度域での２回目の焼成前に６００〜１２５０℃で１回目の焼成および１回目の乾式酸化処理を実施することにより、炭素質材料表面を高結晶化する前に表面上に細孔が形成され、不活性ガス（または窒素ガス）雰囲気下１３００〜２３００℃での２回目の焼成後においても細孔を保持することができる。  
【００３５】
本発明では、１３００℃を超える温度域での２回目の焼成前に、６００〜１２５０℃で１回目の焼成をし、低度に発達した結晶子がランダムに存在する状態をつくり、次に１回目の乾式酸化処理を実施することで、低度に発達した結晶子を覆っている非晶質炭素の一部をガス化させ、表面に細孔を有するまで荒らすことにより、低度に発達した結晶子が繊維表面に露出した炭素質材料を得る。その後、低度に発達した結晶子が繊維表面に露出した状態にて１３００℃を超える温度域で２回目の焼成をしても、結晶子の露出した状態は維持され、その後の２回目の乾式酸化処理にて露出した結晶子部分に積極的に酸素官能基が導入されることにより、電解液中の活物質との反応活性が高められた炭素質材料が得られたものと考えている。一方、特許文献４のような炭素質材料では、無細孔であり結晶子の露出が少ないため、導入される酸素官能基量もさほど多くなく、活物質との反応活性が本発明の炭素質材料よりも劣ると考えられる。  
【００３６】
上記の製造方法において、＜００２＞面間隔、並びにａ軸方向及びｃ軸方向の結晶子の大きさは、主に２回目の焼成（炭化）時の温度、昇温速度、時間等を調製することで制御できる。また、表面の結合酸素原子数は、擬黒鉛結晶構造の結晶性（結晶成長度）にもよるが、主に１回目および２回目の乾式酸化処理の酸素濃度、温度等を調製することで制御できる。  
【００３７】
本発明において採用される＜００２＞面間隔（ｄ００２）、ｃ軸方向の結晶子の大きさ（Ｌｃ）、ａ軸方向の結晶子の大きさ（Ｌａ）、ＸＰＳ表面分析、水銀圧入法、電流効率、電圧効率（セル抵抗Ｒ）、エネルギー効率および充放電サイクルの経時変化の各測定法について説明する。  
【００３８】
（１）＜００２＞面間隔（ｄ００２）、結晶子の大きさ（Ｌｃ）、ａ軸方向の結晶子の大きさ（Ｌａ）  電極材料をメノウ乳鉢で、粒径１０μｍ程度になるまで粉砕し、試料に対して約５重量％のＸ線標準用高純度シリコン粉末を内部標準物質として混合し、試料セルに詰め、ＣｕＫα線を線源として、ディフラクトメーター法によって広角Ｘ線を測定する。  
【００３９】
曲線の補正には、いわゆるローレンツ因子、偏光因子、吸収因子、原子散乱因子等に関する補正を行わず、次の簡便法を用いる。すなわち、＜００２＞回折に相当するピークのベースラインからの実質強度をプロットし直して＜００２＞補正強度曲線を得る。この曲線のピーク高さの２／３の高さに引いた角度軸に平行な線が補正強度曲線と交わる線分の中点を求め、中点の角度を内部標準で補正し、これを回折角の２倍とし、ＣｕＫαの波長λとから数式１のＢｒａｇｇの式によって＜００２＞面間隔を求める。  
【００４０】
【数１】
2017022564.tif 000003
ここで、波長λ＝１．５４１８Å、θは＜００２＞回折角を示す。  
【００４１】
さらに、ピーク高さの１／２の高さに引いた角度軸に平行な線が、補正強度曲線と交わる線分の長さ（半値幅β）から、数式２によってｃ軸方向の結晶子の大きさＬｃを求める。  
【００４２】
【数２】
2017022564.tif 000004
ここで、波長λ＝１．５４１８Å、構造係数ｋ１＝０．９、θは＜００２＞回折角を、βは＜００２＞回折ピークの半値幅を示す。  
【００４３】
また＜１０＞回折に相当するピークのベースラインからの実質強度をプロットし直して＜１０＞補正強度曲線を得る。ピーク高さの１／２の高さに引いた角度軸に平行な線が補正強度曲線と交わる線分の長さ（半値幅β）から数式３によってａ軸方向の結晶子の大きさＬａを求める。  
【００４４】
【数３】
2017022564.tif 000005
ここで、波長λ＝１．５４１８Å、構造係数ｋ２＝１．８４、θは＜１０＞回折角を、βは＜１０＞回折ピークの半値幅を示す。  
【００４５】
（２）ＸＰＳ表面分析  ＥＳＣＡまたはＸＰＳと略称されているＸ線光電子分光法の測定に用いた装置はアルバック・ファイ５８０１ＭＣを用いる。  試料をサンプルホルダー上にＭｏ板で固定し、予備排気室にて十分に排気後、測定室のチャンバーに投入した。線源にはモノクロ化ＡｌＫα線を用い、出力は１４ｋＶ、１２ｍＡ、装置内真空度は１０-８ｔｏｒｒとする。  全元素スキャンを行い表面元素の構成を調べ、検出された元素ならびに予想される元素についてナロースキャンを実施し、存在比率を評価する。  全表面炭素原子数に対する表面結合酸素原子数の比を百分率（％）で算出する。  
【００４６】
（３）水銀圧入法  細孔径分布は、水銀圧入法での細孔径分布測定によって得られる。水銀圧入法による測定は、Ｑｕａｎｔａｃｈｒｏｍｅ社製ポアマスターを用いる。水銀圧入法は、多孔質粒子等の試料が有する細孔に圧力を加えながら水銀を圧入させ、その圧力と圧入された水銀量との関係から、比表面積や細孔径分布等の情報を得る手法である。具体的には、先ず、試料の入った容器内を真空排気してから、容器内に水銀を
満たす。  水銀は表面張力が高いため、そのままでは試料表面の細孔には水銀は圧入しない。しかし、水銀に圧力をかけ、徐々に昇圧していくと、径の大きい細孔から順に径の小さい孔へと、徐々に細孔の中に水銀が圧入していく。圧力を連続的に増加させながら水銀液面の変化を検出していけば、水銀に加えた圧力と水銀圧入量との関係を表す水銀圧入曲線が得られる。  
【００４７】
ここで、細孔の形状を円筒状と仮定し、その直径をＤ（ｎｍ）、水銀の表面張力をσ（ｄｙｎ／ｃｍ）、水銀の試料に対する接触角をθ（°）、圧力をＰとすると、細孔から水銀を押し出す方向への大きさは、Ｗａｓｈｂｕｒｎの数式である数式４で表される。  
【００４８】
［数４］  Ｐ・Ｄ＝−４σｃｏｓθ  
【００４９】
水銀の場合、表面張力δ＝４８０ｄｙｎ／ｃｍ程度、水銀の試料に対する接触角を接触角θ＝１４０°程度の値が一般的に用いられる。そこで後段で説明する実施例１〜３および比較例１〜３では、表面張力δ＝４８０ｄｙｎ／ｃｍ、水銀の試料に対する接触角を接触角θ＝１４０°を用いた。得られた水銀圧入曲線に基づいて、試料の細孔径の大きさとその体積との関係を表す細孔分布曲線を得ることができる。  また、水銀圧入法より得られた細孔径分布データから細孔径０．２〜２μｍの範囲の細孔の合計の容積を算出した。  
【００５０】
（４）ラマン分光測定  ラマン分光測定は、ナノフォトン株式会社製  Ｒａｍａｎ−１１を使用し、対物レンズは１００倍（ＮＡ＝０．９）を使用し、６００ｇｒ／ｍｍのグレーティング、励起レーザー波長は５３２ｎｍとした。ＮＤフィルターを用いてレーザー強度を弱め、レーザー照射によりカーボンの構造変化が生じない条件で測定を実施する。１５８０ｃｍ-1付近の最大ピークは、黒鉛結晶質構造に由来するピークであり、１３６０ｃｍ-1付近の最大ピークは、構造欠陥により対称性の低下した炭素原子に由来するピークである。１３６０ｃｍ-1付近のピーク強度（ＩＤ）」とは、１３６０ｃｍ-1付近に出現するＤバンドのピーク強度であり、「１５８０ｃｍ-1付近のピーク強度（ＩＧ）」とは、１５８０ｃｍ-1付近に出現するＧバンドのピーク強度である。強度比Ｒ（ＩＤ／ＩＧ）は、Ｄバンドのピーク強度をＧバンドのピーク強度で除した値である。１５８０ｃｍ-1付近のピーク半値幅（ΔνＧ）は、上記のラマン分光測定により得られたピークを１３６０ｃｍ-1付近のＤバンド、１５８０ｃｍ-1付近のＧバンド、１６２０ｃｍ-1付近のＤ´バンドおよびその他２つのピークにピーク分離しローレンツ関数を用いてフィッティングを行う。ピーク分離より得られたＧバンドピークより半値幅を算出する。  
【００５１】
（５）電極特性  特許文献４を参考に上下方向（通液方向）に１ｃｍ、幅方向に１０ｃｍの電極面積１０ｃｍ2を有する小型のセルを作り、定電流密度で充放電を繰り返し、電極性能のテストを行う。  電解液は、バナジウム系電解液を用いる。  バナジウム系電解液では、特許文献４を参考に正極電解液と負極電解液に２．０ｍｏｌ／ｌオキシ硫酸バナジウム、３ｍｏｌ／ｌ硫酸水溶液を混合したものを用いる。  電解液量はセル、配管に対して大過剰とする。液流量は毎分６．２ｍｌとし、３０℃で測定を行う。  
【００５２】
（ａ）電流効率：ηＩ  充電に始まり放電で終わる１サイクルのテストにおいて、電流密度を電極幾何面積当たり１００ｍＡ／ｃｍ2（１０００ｍＡ）として、１．５Ｖまでの充電に要した電気量をＱ1、１．０Ｖまでの定電圧放電で取りだした電気量をそれぞれＱ2とし、数式５で電流効率ηＩを求める。  
【００５３】
【数５】
2017022564.tif 000006
【００５４】
（ｂ）セル抵抗：Ｒ  負極液中のバナジウム系電解液のＶ3+をＶ2+に完全に還元するのに必要な理論電気量Ｑｔｈに対して、放電により取りだした電気量の比を充電率とし、数式６で充電率を求める。  
【００５５】
【数６】
2017022564.tif 000007
【００５６】
充電率が５０％のときの電気量に対応する充電電圧ＶＣ５０、放電電圧ＶＤ５０を電気量−電圧曲線からそれぞれ求め、数式７より電極幾何面積に対するセル抵抗Ｒ（Ω・ｃｍ2）を求める。  
【００５７】
【数７】
2017022564.tif 000008
ここで、Ｉは定電流充放電における電流値１Ａである。  
【００５８】
（ｃ）電圧効率：ηＶ  上記の方法で求めたセル抵抗（Ｒ）を用いて数式８の簡便法により電圧効率ηＶを求める。ここで、Ｉは定電流充放電における電流値０．４Ａである。  
【００５９】
【数８】
2017022564.tif 000009
ここで、Ｅは充電率５０％のときのセル開回路電圧１．４３２Ｖ（実測値）である。  
【００６０】
（ｄ）エネルギー効率：ηＥ  前述の電流効率ηＩと電圧効率ηＶを用いて、数式９によりエネルギー効率ηＥを求める。  
【００６１】
【数９】
2017022564.tif 000010
【００６２】
電流効率、電圧効率が高くなる程、エネルギー効率は高くなり、従って充放電におけるエネルギーロスが小さく、優れた電極であると判断される。
【実施例】
【００６３】
（実施例１）  平均繊維径１６μｍのポリアクリロニトリル繊維を空気中２００〜３００℃で耐炎化した。その後、該耐炎化繊維の短繊維（長さ約８０ｍｍ）を用いてフェルト針ＳＢ＃４０（Ｆｏｓｔｅｒ  Ｎｅｅｄｌｅ社）、パンチング密度２５０本／ｃｍ2でフェルト化して目付量３００ｇ／ｍ2、厚み３．２ｍｍの不織布を作製した。該不織布を、２１０±１０℃で４５ｋｇｆ／ｃｍ２のプレス圧にて厚みを０．９±０．１ｍｍに調整後、窒素ガス中で５℃／分の昇温速度で９５０±５０℃まで昇温し、この温度で１時間保持し炭化を行って冷却し、さらに空気中５５０±５０℃で質量収率５０〜９５％になるまで乾式酸化処理し炭素質繊維不織布Ａを得た。得られた炭素質繊維不織布Ａを窒素ガス中で５℃／分の昇温速度で１５００±５０℃まで昇温し、この温度で１時間保持し炭化を行って冷却し、さらに空気中７００±５０℃で質量収率９０〜９５％になるまで乾式酸化処理し、目付１０１ｇ／ｍ2の炭素質繊維不織布Ｂを得た。  得られた炭素質繊維不織布Ｂの面間隔、結晶子サイズ、ＸＰＳ表面分析結果、ラマン分光測定結果、水銀圧入法測定結果、電極性能を表１に示す。  なお、水銀圧入法測定で使用した圧力は０．９〜２５，０００ｐｓｉａであった。以下の実施例２，３および比較例１〜３も同じである。電極性能評価において、スペーサー厚は０．６ｍｍに設定し、炭素質繊維不織布Ｂを単層にてＶ系電解液を用いて評価した。また、水銀圧入法より得られた細孔径の分布を示す細孔径分布曲線を図３に示す。水銀圧入法より得られた細孔径分布データから、細孔径０．２〜２μｍの範囲の細孔の合計の容積を算出したところ、０．００４４ｃｃ／ｇであった。  【００６４】
（実施例２）  平均繊維径１６μｍのポリアクリロニトリル繊維を空気中２００〜３００℃で耐炎化した。その後、該耐炎化繊維の短繊維（長さ約８０ｍｍ）を用いてフェルト針ＳＢ＃４０（Ｆｏｓｔｅｒ  Ｎｅｅｄｌｅ社）、パンチング密度２５０本／ｃｍ2でフェルト化して目付量３００ｇ／ｍ2、厚み３．２ｍｍの不織布を作製した。該不織布を、２１０±１０℃で４５ｋｇｆ／ｃｍ２のプレス圧にて厚みを０．９±０．１ｍｍに調整後、窒素ガス中で５℃／分の昇温速度で９５０±５０℃まで昇温し、この温度で１時間保持し炭化を行って冷却し、さらに空気中５５０±５０℃で質量収率５０〜９５％になるまで乾式酸化処理し炭素質繊維不織布Ａを得た。得られた炭素質繊維不織布Ａを窒素ガス中で５℃／分の昇温速度で１８００±５０℃まで昇温し、この温度で１時間保持し炭化を行って冷却し、さらに空気中７００±５０℃で質量収率９０〜９５％になるまで乾式酸化処理し、目付９８ｇ／ｍ2の炭素質繊維不織布Ｃを得た。  得られた炭素質繊維不織布Ｃの面間隔、結晶子サイズ、ＸＰＳ表面分析結果、ラマン分光測定結果、水銀圧入法測定結果、電極性能を表１に示す。電極性能評価において、スペーサー厚は０．６ｍｍに設定し、炭素質繊維不織布Ｃを単層にてＶ系電解液を用いて評価した。また、水銀圧入法より得られた細孔径の分布を示す細孔径分布曲線を図４に示す。水銀圧入法より得られた細孔径分布データから、細孔径０．２〜２μｍの範囲の細孔の合計の容積を算出したところ、０．００３９ｃｃ／ｇであった。  【００６５】
（実施例３）  平均繊維径１６μｍのポリアクリロニトリル繊維を空気中２００〜３００℃で耐炎化した。その後、該耐炎化繊維の短繊維（長さ約８０ｍｍ）を用いてフェルト針ＳＢ＃４０（Ｆｏｓｔｅｒ  Ｎｅｅｄｌｅ社）、パンチング密度２５０本／ｃｍ2でフェルト化して目付量３００ｇ／ｍ2、厚み３．２ｍｍの不織布を作製した。該不織布を、２１０±１０℃で４５ｋｇｆ／ｃｍ２のプレス圧にて厚みを０．９±０．１ｍｍに調整後、窒素ガス中で５℃／分の昇温速度で９５０±５０℃まで昇温し、この温度で１時間保持し炭化を行って冷却し、さらに空気中５５０±５０℃で質量収率５０〜９５％になるまで乾式酸化処理し炭素質繊維不織布Ａを得た。得られた炭素質繊維不織布Ａを窒素ガス中で５℃／分の昇温速度で２０００±５０℃まで昇温し、この温度で１時間保持し炭化を行って冷却し、さらに空気中７００±５０℃で質量収率９０〜９５％になるまで乾式酸化処理し、目付１００ｇ／ｍ2の炭素質繊維不織布Ｄを得た。  得られた炭素質繊維不織布Ｄの面間隔、結晶子サイズ、ＸＰＳ表面分析結果、ラマン分光測定結果、水銀圧入法測定結果、電極性能を表１に示す。電極性能評価において、スペーサー厚は０．６ｍｍに設定し、炭素質繊維不織布Ｄを単層にてＶ系電解液を用いて評価した。また、水銀圧入法より得られた細孔径の分布を示す細孔径分布曲線を図５に示す。水銀圧入法より得られた細孔径分布データから、細孔径０．２〜２μｍの範囲の細孔の合計の容積を算出したところ、０．００４ｃｃ／ｇであった。  【００６６】
（比較例１）  平均繊維径１６μｍのポリアクリロニトリル繊維を空気中２００〜３００℃で耐炎化した。その後、該耐炎化繊維の短繊維（長さ約８０ｍｍ）を用いてフェルト針ＳＢ＃４０（Ｆｏｓｔｅｒ  Ｎｅｅｄｌｅ社）、パンチング密度２５０本／ｃｍ2でフェルト化して目付量３００ｇ／ｍ2、厚み３．２ｍｍの不織布を作製した。該不織布を、２１０±１０℃で４５ｋｇｆ／ｃｍ２のプレス圧にて厚みを０．９±０．１ｍｍに調整後、窒素ガス中で５℃／分の昇温速度で１５００±５０℃まで昇温し、この温度で１時間保持し炭化を行って冷却し、さらに空気中７００±５０℃で質量収率９０〜９５％になるまで乾式酸化処理し、目付１６１ｇ／ｍ2の炭素質繊維不織布Ｅを得た。  得られた炭素質繊維不織布Ｅの面間隔、結晶子サイズ、ＸＰＳ表面分析結果、ラマン分光測定結果、水銀圧入法測定結果、電極性能を表１に示す。電極性能評価において、スペーサー厚は０．６ｍｍに設定し、炭素質繊維不織布Ｅを単層にてＶ系電解液を用いて評価した。また、水銀圧入法より得られた細孔径の分布を示す細孔径分布曲線を図３に示す。水銀圧入法より得られた細孔径分布データでは、細孔径０．２〜２μｍの範囲の細孔は無かった（合計の容積は０．００００ｃｃ／ｇ）。  【００６７】
（比較例２）  平均繊維径１６μｍのポリアクリロニトリル繊維を空気中２００〜３００℃で耐炎化した。その後、該耐炎化繊維の短繊維（長さ約８０ｍｍ）を用いてフェルト針ＳＢ＃４０（Ｆｏｓｔｅｒ  Ｎｅｅｄｌｅ社）、パンチング密度２５０本／ｃｍ2でフェルト化して目付量３００ｇ／ｍ
2、厚み３．２ｍｍの不織布を作製した。該不織布を、２１０±１０℃で４５ｋｇｆ／ｃｍ２のプレス圧にて厚みを０．９±０．１ｍｍに調整後、窒素ガス中で５℃／分の昇温速度で１８００±５０℃まで昇温し、この温度で１時間保持し炭化を行って冷却し、さらに空気中７００±５０℃で質量収率９０〜９５％になるまで乾式酸化処理し、目付１５３ｇ／ｍ2の炭素質繊維不織布Ｆを得た。  得られた炭素質繊維不織布Ｆの面間隔、結晶子サイズ、ＸＰＳ表面分析結果、ラマン分光測定結果、水銀圧入法測定結果、電極性能を表１に示す。電極性能評価において、スペーサー厚は０．６ｍｍに設定し、炭素質繊維不織布Ｆを単層にてＶ系電解液を用いて評価した。また、水銀圧入法より得られた細孔径の分布を示す細孔径分布曲線を図４に示す。水銀圧入法より得られた細孔径分布データでは、細孔径０．２〜２μｍの範囲の細孔は無かった（合計の容積は０．００００ｃｃ／ｇ）。  【００６８】
（比較例３）  平均繊維径１６μｍのポリアクリロニトリル繊維を空気中２００〜３００℃で耐炎化した。その後、該耐炎化繊維の短繊維（長さ約８０ｍｍ）を用いてフェルト針ＳＢ＃４０（Ｆｏｓｔｅｒ  Ｎｅｅｄｌｅ社）、パンチング密度２５０本／ｃｍ2でフェルト化して目付量３００ｇ／ｍ2、厚み３．２ｍｍの不織布を作製した。該不織布を、２１０±１０℃で４５ｋｇｆ／ｃｍ２のプレス圧にて厚みを０．９±０．１ｍｍに調整後、窒素ガス中で５℃／分の昇温速度で２０００±５０℃まで昇温し、この温度で１時間保持し炭化を行って冷却し、さらに空気中７００±５０℃で質量収率９０〜９５％になるまで乾式酸化処理し、目付１５７ｇ／ｍ2の炭素質繊維不織布Ｇを得た。  得られた炭素質繊維不織布Ｇの面間隔、結晶子サイズ、ＸＰＳ表面分析結果、ラマン分光測定結果、水銀圧入法測定結果、電極性能を表１に示す。電極性能評価において、スペーサー厚は０．６ｍｍに設定し、炭素質繊維不織布Ｇを単層にてＶ系電解液を用いて評価した。また、水銀圧入法より得られた細孔径の分布を示す細孔径分布曲線を図５に示す。水銀圧入法より得られた細孔径分布データでは、細孔径０．２〜２μｍの範囲の細孔は無かった（合計の容積は０．００００ｃｃ／ｇ）。  【００６９】
【表１】
2017022564.tif 000011
【産業上の利用可能性】
【００７０】
本発明のレドックス電池用炭素電極材は、導電性を高める黒鉛粉末や導電助剤といわれるアセチレンブラック、ケッチェンブラック等を未含有でありながら、電極反応活性を高めることにより初期充放電時のセル抵抗を低下させ、電池エネルギー効率を向上させることを可能とするものである。そして、本発明の炭素電極材はフロータイプおよびノンフロータイプのレッドクス電池、またはリチウム、キャパシタ、燃料電池のシステムと複合化されたようなレドックス電池に好適に用いられ、電池性能を向上させることが可能となり、産業界へ大きく貢献できる。
【符号の説明】
【００７１】
１  集電板    ２  スペーサー    ３  イオン交換膜    ４ａ，４ｂ  通液路    ５  電極材    ６  正極電解液タンク    ７  負極電解液タンク    ８，９  ポンプ    １０  液流入口    １１  液流出口    １２，１３  外部液路 
【図１】
2017022564.tif 000012
【図２】
2017022564.tif 000013
【図３】
2017022564.tif 000014
【図４】
2017022564.tif 000015
【図５】
2017022564.tif 000016
【国際調査報告】
2017022564.tif 000017
2017022564.tif 000018
2017022564.tif 000019
2017022564.tif 000020